(57)【要約】【課題】  無理な力をかけずに簡単に分配用のソケットを装着することができる液体貯留タンクを提供する。【解決手段】  可撓性バッグ２内から液体を取り出すには、ポート部材３０のガス供給口からガスを供給する。供給されたガスは、ソケット本体２１の内側面とバルブシート部材２７の外側面との間のガス流路３１、プラグ５に形成した流路１３及びブラケット３に形成した穴１２を介して外側容器１と可撓性バッグ２との間の空間Ｓ２に導入される。空間Ｓ２にガスが導入されると、可撓性バッグ２が収縮し、内部に充填されている液体がチューブ８内、バルブ２４とバルブシートとの間の流路、小径流路２６及び流路２３を介して外部に取り出される。【選択図】  図３
2008087769.tif 000002
【特許請求の範囲】
【請求項１】
外側容器内に収納された可撓性バッグと外側容器内側との間にガスを供給して、可撓性バッグ内の液体を可撓性バッグ内に挿入したチューブを介して外部に取り出すようにした液体貯留タンクにおいて、前記可撓性バッグの口部はカップ状ブラケットに取り付けられ、このカップ状ブラケットはプラグによって外側容器の開口部に内側から気密に保持され、前記プラグには可撓性バッグ内に挿入したチューブの上端部が係止し、更に前記プラグにはソケットが着脱自在とされ、このソケットには液体の流路を開閉するバルブとバルブシートが設けられ、プラグにソケットを取り付けた状態で液体の流路が開となることを特徴とする液体貯留タンク。
【請求項２】
請求項１に記載の液体貯留タンクにおいて、前記チューブの上端にはプラグの開口部上端に係止するフランジ部が形成され、前記チューブ外側面とプラグ開口部内側面との間に形成されるガス抜き用の隙間が形成され、さらにこのガス抜き用の隙間に連通する穴が前記フランジ部に形成されていることを特徴とする液体貯留タンク。
【発明の詳細な説明】
【技術分野】
【０００１】
本発明は、酸、溶剤、アルカリ溶液、ホトレジストなどの各種液体を貯留し、ガス圧を利用して液体を取り出すことが可能な液体貯留タンクに関する。
【背景技術】
【０００２】
外側容器内にチューブを挿入した可撓性バッグを収め、この可撓性バッグ内に薬液を充填し、この状態で外側容器内側との間にガスを供給して、可撓性バッグを外側から圧縮することでバッグ内の液体を前記チューブを介して外部に取り出すようにした液体貯留タンクが特許文献１に開示されている。
【０００３】
特許文献１に開示される液体貯留タンクにあっては、可撓性バッグの口部にポートを画成する取付体を設け、この取付体を介して汲み出し用のチューブを可撓性バッグ内に挿入し、汲み出し用のチューブの上端に設けたカップリングを前記取付体に係止することで、チューブが可撓性バッグ内に落下しないようにしている。
【０００４】
そして、特許文献１では前記取付体の上端開口（ポート）を破断可能な膜で気密に閉塞し、使用を開始する際にソケット（ディスペンサー）側に設けたプローブにて前記膜を破断し、プローブ先端を前記カップリングの空所に収めるようにしている。プローブ先端を前記カップリングの空所に収めた状態で可撓性バッグ内の液体は外からのガス圧でチューブ内およびプローブ内の流路を介して外部に取り出される。
【０００５】
また、可撓性バッグ内には液体の他に高圧のガスが上部に溜まっていることがある。特許文献１では、このガスはプローブにて膜を破断した際に瞬時に外部に放出されるので、プローブにて膜を破断した際に液体がチューブ内を伝って突沸することがない。
【特許文献１】特許第３４６４２３２号公報
【発明の開示】
【発明が解決しようとする課題】
【０００６】
上記したように特許文献１にあっては、取付体の上端開口を塞ぐ膜をプローブによって破断しなければならず手間がかかり、部品点数も増加する。
【０００７】
また特許文献１にあっては、チューブの上端にカップリングを取り付け、このカップリングを取付体内で保持するようにしている。そして、タンクを使用する際には、カップリングの空所にプローブの先端を嵌め込むようにしているが、この嵌め込みの際に前記したように膜を破断しなければならず力が必要で芯がずれやすい。そして芯がずれると、カップリングが斜めの状態のまま取付体内で固定されてしまい抜けなくなってしまう。
【０００８】
抜けなくなった場合、そのまま捨てることになるが、チューブとカップリングは可撓性バッグに比べると製作にコストがかかり、リサイクルの面でも好ましくない。
【課題を解決するための手段】
【０００９】
上記課題を解決するため本発明に係る液体貯留タンクは、外側容器内に収納された可撓性バッグと外側容器内側との間にガスを供給して、可撓性バッグ内の液体を可撓性バッグ内に挿入したチューブを介して外部に取り出すようにした液体貯留タンクにおいて、前記可撓性バッグの口部はカップ状ブラケットに取り付けられ、このカップ状ブラケットはプラグによって外側容器の開口部に内側から気密に保持され、前記プラグには可撓性バッグ内に挿入したチューブの上端部が係止し、更に前記プラグにはソケットが着脱自在とされ、このソケットには液体の流路を開閉するバルブとバルブシートが設けられ、プラグにソケットを取り付けた状態で液体の流路が開となる構成とした。
【００１０】
具体的な形状の一例としては、前記チューブの上端にはプラグの開口部上端に係止するフランジ部が形成され、前記チューブ外側面とプラグ開口部内側面との間に形成されるガス抜き用の隙間が形成され、さらにこのガス抜き用の隙間に連通する穴が前記フランジ部に形成された構成が考えられる。
【発明の効果】
【００１１】
本発明によれば、特許文献１に開示されるような、破断すべき膜がないため、破断に要する手間がかからず、また力をかけて膜を破ってプローブの先端をカップリングに押し込むことも不要なため、作業性が向上する。
【００１２】
更に、使用済みの可撓性バッグとこの可撓性バッグに挿入されていたチューブとの分離も簡単に行え、リサイクルにも有利である。
【発明を実施するための最良の形態】
【００１３】
以下に、本発明を実施するための実施の形態を図面に基づいて説明する。図１は本発明に係る液体貯留タンクの全体図、図２は同液体貯留タンクのキャップを装着した状態の要部拡大図、図３は同液体貯留タンクのキャップを外しソケットを装着した状態の要部拡大図である。
【００１４】
液体貯留タンクはステンレス製の外側容器１の内部に可撓性バッグ２が配置されている。可撓性バッグ２の口部にはカップ状をなすブラケット３が取り付けられ、このブラケット３の上端の凸部を外側容器１の開口部４の段部に係止するように嵌め込み、内側からプラグ５を差し込んでブラケット３を開口部４の内側面に押し付け、更に開口部４の外周面に刻設した雄ネジ部にナット６を締め付けて
ブラケット３をプラグ５との間で固定することで、可撓性バッグ２を外側容器１内で保持する。
【００１５】
前記プラグ５には前記ブラケット３の開口部に挿入される筒部７が設けられ、この筒部７を介して可撓性バッグ２内にチューブ８が挿入されている。このチューブ８は筒部７内に位置する部分が上方に向かって徐々に肉厚に形成され、上部はフランジ部９となっており、このフランジ部９をプラグ５の筒部７の上端に係止することで、チューブ８が可撓性バッグ２内に落下しないようにしている。
【００１６】
前記チューブ８の外側面と前記筒部７の内側面との間には、可撓性バッグ２内の上部空間Ｓ１につながる流路１０が形成され、前記フランジ部９には流路１０と外部とを連通する穴１１が形成されている。
【００１７】
また、前記ブラケット３には外側容器１の内側面と可撓性バッグ２の外側面との間に形成される空間Ｓ２とブラケット３とプラグ５との間の空間Ｓ３とを連通する穴１２が形成され、更に前記プラグ５には空間Ｓ３と外部とを連通する流路１３が形成されている。
【００１８】
そして、前記ナット６の外周面に刻設した雄ネジ部にキャップ１４を取り付けた状態で、外部につながる前記穴１１及び流路１３はキャップ１４下面によって気密にシールされる。
【００１９】
一方、ディスペンサーとして上記プラグ５に取り付けられるソケット２０は筒状をなすソケット本体２１の上部内側に形成した雌ネジ部に流路部材２２を螺合し、この流路部材２２の中心部に形成された流路２３の下端にバルブ２４の上端を取り付けている。このバルブ２４の上端には小径流路２６が形成されている。
【００２０】
前記ソケット本体２１内で流路部材２２の下端にはバルブ２４を囲むようにバルブシート部材２７が取り付けられている。このバルブシート部材２７は筒状をなす上半体２７ａとカップ状をなす下半体２７ｂとからなり、上半体２７ａと下半体２７ｂとは伸縮自在な蛇腹２８で連結し、下半体２７ｂと流路部材２２との間にはスプリング２９を縮装し、スプリング２９の弾発力で下半体２７ｂのシート面をバルブ２４に押し付けている。
【００２１】
一方、ソケット本体２１の側面にはガス供給用のポート部材３０が取り付けられ、またソケット本体２１の内側面と前記バルブシート部材２７の外側面との間には前記ポート部材３０のガス供給口につながるガス流路３１が形成されている。
【００２２】
また、ソケット本体２１の下端にはスチールボール３２を収納する窓部３３が形成され、ソケット本体２１の下端外側にはスチールボール３２が径方向外側に外れるのを規制する筒状操作部材３４が摺動自在に配置され、この筒状操作部材３４とソケット本体２１の下端外側との間に、リング部材３５を配置している。このリング部材３５はスプリング３６によって前記筒状操作部材３４を下限位置、つまりスチールボール３２が径方向外側に外れるのを規制する位置に留めておく。
【００２３】
以上において、薬液メーカなどにおいてタンク内に液体を充填するには、先ず、外側容器１内に可撓性バッグ２を押し込み、可撓性バッグ２の口部を取り付けているカップ状ブラケット５を外側容器１の開口部４の内側に入れ、プラグ５をブラケット３内に上方から押し込むことでカップ状ブラケット５を外側容器１の開口部４の内側に押し付け、更にナット６を締め付けることでカップ状ブラケット５を開口部４とプラグ５の間で強固に保持する。
【００２４】
次いで、可撓性バッグ２を膨らました後に、可撓性バッグ２内に薬液などの液体を充填し、充填し終わったらプラグ５の筒部７を介して可撓性バッグ２内にチューブ８を差し込む。このときチューブ８の上端フランジ部９が筒部７の上端に係止するので可撓性バッグ２内に落下することはない。
【００２５】
この後、キャップ１４を取り付けて、薬液メーカ側での出荷準備が完了する。尚、キャップ１４の下面によって搬送中にチューブ８の上端開口は封止されているので、搬送中に液が漏れることはない。
【００２６】
一方、ユーザサイドにおいて液体貯留タンクから液体を取り出すには、キャップ１４を外してソケット２０を取り付ける。キャップ１４を外した時点で、チューブ８のフランジ部９に形成された穴１１が外部に開放され、可撓性バッグ２の上部空間Ｓ１に高圧のガスが溜まっている場合には、流路１０及び穴１１を介して外部に排出される。
【００２７】
ソケット２０を取り付けるには、筒状操作部材３４をスプリング３６の弾発力に抗して上方に持ち上げる。すると、スチールボール３２が径方向外方に移動できる状態になる。この状態でソケット本体２１をプラグ５に上方から差し込む。このときプラグ５によってスチールボール３２は径方向外方に移動せしめられるが、窓部３３の形状を絞ることでスチールボール３２は落下しない構造になっている。
【００２８】
ソケット本体２１が所定位置まで挿入されたら、筒状操作部材３４を放す。すると筒状操作部材３４はスプリング３６の弾発力で下方に移動し、突部によってスチールボール３２を径方向内側に移動させ、スチールボール３２がプラグ５に形成した溝に嵌り込み、抜けが防止される。この状態を図３で示している。
【００２９】
次に、可撓性バッグ２内から液体を取り出すには、ポート部材３０のガス供給口からガスを供給する。供給されたガスは、ソケット本体２１の内側面とバルブシート部材２７の外側面との間のガス流路３１、プラグ５に形成した流路１３及びブラケット３に形成した穴１２を介して外側容器１と可撓性バッグ２との間の空間Ｓ２に導入される。
【００３０】
一方、ソケット２０をプラグ５に装着した状態で、バルブシート２７の下半体２７ｂの下端面はチューブ８の上端に当接して持ち上げられ、バルブ２４とバルブシートとの間の流路が開成する。
【００３１】
したがって、空間Ｓ２にガスが導入されると、可撓性バッグ２が収縮し、内部に充填されている液体がチューブ８内、バルブ２４とバルブシートとの間の流路、小径流路２６及び流路２３を介して外部に取り出される。
【図面の簡単な説明】
【００３２】
【図１】本発明に係る液体貯留タンクの全体図
【図２】同液体貯留タンクのキャップを装着した状態の要部拡大図
【図３】同液体貯留タンクのキャップを外しソケットを装着した状態の要部拡大図
【符号の説明】
【００３３】
１…外側容器、２…可撓性バッグ、３…カップ状をなすブラケット、４…外側容器の開口部、５…プラグ、６…ナット、７…筒部、８…チューブ、９…フランジ部、１０…流路、１１…穴、１２…穴、１３…流路、１４…キャップ、２０…ソケット、２１…ソケット本体、２２…流路部材、２３…流路、２４…バルブ、２６…小径流路、２７…バルブシート部材、２７ａ…バルブシート部材の上半体、２７ｂ…バルブシート部材の下半体、２８…蛇腹、２９…スプリング、３０…ポート部材、３１…ガス流路、３２…スチールボール、３３…窓部、３４…筒状操作部材、３５…リング部材、３６…スプリング、Ｓ１…可撓性バッグの上部空間、
Ｓ２…外側容器の内側面と可撓性バッグの外側面との間に形成される空間、Ｓ３…ブラケットとプラグとの間の空間。  
【図１】
2008087769.tif 000003
【図２】
2008087769.tif 000004
【図３】
2008087769.tif 000005